【手続補正書】
【提出日】平成19年11月21日(2007.11.21)
【手続補正１】
【補正対象書類名】明細書
【補正対象項目名】特許請求の範囲
【補正方法】変更
【補正の内容】
【特許請求の範囲】
【請求項１】  - 尿素、シアヌル酸、トリアジン、アンモニア及びそれらの混合物からなる群から選択される窒素含有化合物の約3〜35重量％；
- 以下からなる担体ブレンド約30〜97重量％；
一般構造
【化１】
2003514980.tif 000001
[R1はC6-C16、R2はH又はCH3かつxは1〜7]を有するアルコキシル化アルコール組成物の約30〜75重量％；
一般構造：
【化２】
2003514980.tif 000002
[R3はC11-C19、R4はH又はCH3、yは1〜20、R5はH又はCOR3]を有するポリアルキレングリコールエステル組成物の約10〜60重量％；
一般構造：
【化３】
2003514980.tif 000003
[R6はC12-C18、R7はH又はCH2CH2OH]を有するアルカノールアミド組成物の約10〜60重量％；
及びその混合物；及び
- 約0.0025〜25重量％の水
からなる燃料添加剤組成物。
【請求項２】  窒素含有化合物が尿素である請求項１の組成物。
【請求項３】  尿素が組成物の約10〜32重量％からなる請求項２の組成物。
【請求項４】  尿素が組成物の約12〜28重量％からなる請求項３の組成物。
【請求項５】  アルコキシル化アルコールが、組成物の約33〜55重量％からなる請求項２の組成物。
【請求項６】  R1はC9-C11かつxは2.5である請求項２の組成物。
【請求項７】 ポリアルキレングリコールエステルが、組成物の約25〜40重量％からなる請求項２の組成物。
【請求項８】  ポリアルキレングリコールエステルが、組成物の約25〜33重量％からなる請求項７の組成物。
【請求項９】  R3がC17かつR5はCOR3である請求項２の組成物。
【請求項１０】  アルカノールアミドが組成物の約25〜40重量％からなる請求項２の組成物。
【請求項１１】  アルカノールアミドが、組成物の約25〜33重量％からなる請求項１０の組成物。
【請求項１２】  R6がほぼC17であり、かつR7はCH2CH2OHである請求項２の組成物。
【請求項１３】  約80〜20重量％の請求項１〜１２のいずれか１項に記載の燃料添加剤組成物と約20〜80重量％の溶媒とからなる燃料添加剤濃縮組成物。
【請求項１４】  溶媒が、ディーゼル、ガソリン、ケロシン及びその混合物からなる群から選択される燃料である請求項１３の組成物。
【請求項１５】  燃料添加剤組成物が濃縮物の約70〜30重量％からなり、燃料が濃縮物の約30〜70重量からなる請求項１３又は１４の組成物。
【請求項１６】  燃料添加剤組成物が濃縮物の約60〜40重量％からなり、燃料が濃縮物の約40〜60重量％からなる請求項１５の組成物。
【請求項１７】  約97〜99.99重量％の炭化水素含有燃料と、約0.01〜3重量％の請求項１３〜１６のいずれか１項に記載の燃料添加剤濃縮組成物とからなる、内燃エンジンでの燃焼に付した際に、ＮＯXの排出を減少させるよう配合された燃料組成物。
【請求項１８】  燃料が、ディーゼル、ガソリン及びケロシンからなる群から選択される請求項１７の組成物。
【請求項１９】  いずれかの工程順序で、
- 約60〜50重量％の水と約40〜50重量％の尿素とを混合して水性尿素組成物を製造し；
- いつでも、いずれかの順序で
一般構造
【化４】
2003514980.tif 000004
[R1はC6-C16、R2はH又はCH3かつxは1〜7]を有するアルコキシル化アルコール組成物の約30〜75重量％；
一般構造：
【化５】
2003514980.tif 000005
[R3はC11-C19、R4はH又はCH3、yは1〜20、R5はH又はCOR3]を有するポリアルキレングリコールエステル組成物の約10〜60重量％；及び
一般構造：
【化６】
2003514980.tif 000006
[R6はC12-C18、R7はH又はCH2CH2OH]を有するアルカノールアミド組成物の約10〜60重量％；
及びその混合物
を混合して、担体ブレンドを製造し；
- 約50〜65重量％の担体ブレンドと約50〜35重量％の水性尿素含有組成物を混合する、
ことからなる、燃料添加剤組成物の製造方法。
【請求項２０】  水性尿素組成物の製造工程が、約40〜45重量％の尿素を約60〜55重量％の水と混合することからなる請求項１９の方法。
【請求項２１】  水性尿素組成物の製造工程が、約40重量％の尿素を約60重量％の水と混合することからなる請求項２０の方法。
【請求項２２】  担体ブレンドの製造工程が、約33〜55重量％のアルコキシル化アルコールを混合することからなる請求項１９〜２１のいずれか１項の方法。
【請求項２３】  R1はC9-C11かつxは2.5である請求項１９〜２２のいずれか１項の方法。
【請求項２４】  担体ブレンドの製造工程が、約25〜40重量％のポリアルキレングリコールエステルを混合することからなる請求項１９〜２３のいずれか１項の方法。
【請求項２５】  担体ブレンドの製造工程が、約25〜33重量％のポリアルキレングリコールエステルを混合することからなる請求項２４の方法。
【請求項２６】  R3がC17かつR5はCOR3である請求項１９〜２５のいずれか１項の方法。
【請求項２７】  担体ブレンドの製造工程が、約25〜40重量％のアルカノールアミドを混合することからなる請求項１９〜２６のいずれか１項の方法。
【請求項２８】  担体ブレンドの製造工程が、約25〜33重量％のアルカノールアミドを混合することからなる請求項２７の方法。
【請求項２９】  R6がほぼC17であり、かつR7はCH2CH2OHである請求項１９〜２８のいずれか１項の方法。
【請求項３０】  約20〜80重量％の溶媒と、請求項１９〜２９のいずれか１項の方法により得られた約80〜20重量％の燃料添加剤組成物とを混合する工程からなる、燃料添加剤濃縮組成物の製造方法。
【請求項３１】  溶媒が、ディーゼル、ガソリン及びケロシンからなる群から選択される燃料である請求項３０の方法。
【請求項３２】  濃縮組成物の製造工程が、約30〜70重量％の溶媒と約70〜30重量％の燃料添加剤組成物を混合する工程からなる請求項３０又は３１の方法。
【請求項３３】  濃縮組成物の製造工程が、約40〜60重量％の溶媒と約60〜40重量％の燃料添加剤組成物を混合する工程からなる請求項３２の方法。
【請求項３４】  - 以下：
いずれかの順序で、
約70〜30重量％の水と約30〜70重量％の尿素とを混合して水性尿素組成物を製造し；
いずれかの順序で、
一般構造
【化７】
2003514980.tif 000007
[R1はC6-C16、R2はH又はCH3かつxは1〜7]を有するアルコキシル化アルコール組成物の約33〜50重量％；
一般構造：
【化８】
2003514980.tif 000008
[R3はC11-C19、R4はH又はCH3、yは1〜20、R5はH又はCOR3]を有するポリアルキレングリコールエステル組成物の約25〜33重量％；及び
一般構造：
【化９】
2003514980.tif 000009
[R6はC12-C18、R7はH又はCH2CH2OH]を有するアルカノールアミド組成物の約25〜33重量％；
及びその混合物
を混合して担体ブレンドを製造し；及び
約60〜50重量％の担体ブレンドと約40〜50重量％の水性尿素含有組成物を混合する
工程からなって添加剤を製造し；及び
- 燃料添加剤濃縮物を形成するために、約20〜80重量％の溶媒と約80〜20重量％の添加剤を混合する
工程からなって、燃料添加剤濃縮組成物を製造し；
約0.01〜3重量％の燃料添加剤濃縮物を約97〜99.99重量％の炭化水素含有燃料と混合する
工程からなる、内燃エンジンでの燃焼に付した際に、ＮＯXの排出を減少させるよう配合された燃料組成物の製造方法。
【請求項３５】  溶媒が、ディーゼル、ガソリン及びケロシンからなる群から選択される燃料である請求項３４の方法。
【請求項３６】  濃縮組成物の製造工程が、約30〜70重量％の溶媒と約70〜30重量％の添加剤を混合する工程からなる請求項３４又は３５の方法。
【請求項３７】  濃縮組成物の製造工程が、約40〜60重量％の溶媒と約60〜40重量％の添加剤を混合する工程からなる請求項３６の方法。
【請求項３８】  水性尿素組成物の製造工程が、約60〜55重量％の水と約40〜45重量％の尿素を混合することからなる請求項３４〜３７のいずれか１項の方法。
【請求項３９】  水性尿素組成物の製造工程が、約60重量％の水と約40重量％の尿素を混合することからなる請求項３８の方法。
【請求項４０】  担体ブレンドの製造工程が、約33〜55重量％のアルコキシル化アルコールを混合することからなる請求項３４〜３９のいずれか１項の方法。
【請求項４１】  R1がC9-C11かつxは2.5である請求項３４〜４０のいずれか１項の方法。
【請求項４２】  担体ブレンドの製造工程が、約25〜40重量％のポリアルキレングリコールエステルを混合することからなる請求項３４〜４１のいずれか１項の方法。
【請求項４３】  担体ブレンドの製造工程が、約25〜33重量％のポリアルキレングリコールエステルを混合することからなる請求項４４の方法。
【請求項４４】  R3がC17かつR5はCOR3である請求項３４〜４３のいずれか１項の方法。
【請求項４５】  担体ブレンドの製造工程が、約25〜40重量％のアルカノールアミドを混合することからなる請求項３４〜４４のいずれか１項の方法。
【請求項４６】  担体ブレンドの製造工程が、約25〜33重量％のアルカノールアミドを混合することからなる請求項４５の方法。
【請求項４７】  R6がほぼC17であり、かつR7はCH2CH2OHである請求項３４〜４６のいずれか１項の方法。